(57)【要約】      （修正有）【課題】緊急時にキャスタを有する可動脚を下方へ突出させて、チェアまたはベンチの移動を容易に行なえる収納式移動用脚装置を提供する。【解決手段】フレーム５の一端側に揺動運動が可能なように設けられるキャスタ１１付きの可動脚１と、フレーム５の両端部付近に設けられ、上記可動脚１を開いた状態に保持するストッパ５１と、フレーム５の一部に、その一端が取付けられるとともに、他の一端側が上記可動脚のとの間に設けられるるアクチュエータ２と、アクチュエータ２の作動を制御する作動ケーブル７と、作動ケーブル７の作動を制御する操作スイッチ７７と、可動脚１をフレーム５の下面側に保持するロック機構３と、からなる。【選択図】図１
2017108930.tif 000002
【特許請求の範囲】
【請求項１】
枠状の形態からなるフレームと、当該フレームの一端側に形成される取付支点を基点にして所定の範囲内にて揺動運動が可能なように設けられるとともに、その先端部のところにはキャスタを有する可動脚と、上記フレームの両端部近くの上記可動脚取付点付近のところに設けられるものであって上記可動脚を開いた状態に保持するストッパと、上記フレームの一部に、その一端が取付けられるとともに、他の一端が上記可動脚の一部に取付けられて当該可動脚の作動を担うアクチュエータと、当該アクチュエータの一部に設けられるものであって当該アクチュエータの作動を制御する作動ケーブルと、当該作動ケーブルの作動を制御する操作スイッチと、上記フレームの下面側に設けられるものであって上記可動脚がフレーム下面側に折りたたまれたときに、当該可動脚をフレーム下面部のところに保持するように作動するロック機構と、からなるようにしたことを特徴とする収納式の移動用脚装置。
【請求項２】
請求項１記載の収納式の移動用脚装置において、上記可動脚、上記アクチュエータ、当該アクチュエータの作動を制御する作動ケーブル、当該作動ケーブルの作動制御を行なう操作スイッチ、及び上記可動脚の保持を担うロック機構のそれぞれを、上記フレームの左右両端部付近のそれぞれのところに対の状態で設けるようにした構成からなることを特徴とする収納式の移動用脚装置。
【請求項３】
請求項１または請求項２のいずれかに記載の収納式の移動用脚装置において、上記可動脚の先端部付近のところに、後に述べるフック部と係合する係合部を設けるとともに、上記フレームの両端部から所定の長さだけ内側へ入ったところに設けられるロック機構を、上記係合部と係合するフック部を主に形成されるスナッチロック機構からなるようにしたことを特徴とする収納式の移動用脚装置。
【発明の詳細な説明】
【技術分野】
【０００１】
本発明は、病院のロビー等に設置されるチェア、またはベンチ等を緊急時において所定の位置へ移動させる際に利用されるものであって、上記チェアまたはベンチの下側に設けられる移動用の脚、特に、当該移動用脚が通常時においては、ベンチの下面側に収納されて、一般には見えないようにした収納式の移動用脚装置に関するものである。
【背景技術】
【０００２】
一般に、椅子の脚部先端部のところには、例えば特開２０１４−２３３３３４号公報（特許文献１）記載のものの如く、ローラ式のキャスタが設けられており、これによって椅子の移動が円滑に行なえるようになっているものである。そして、このような構造のものにおいて、これを椅子として用いる場合、すなわち、人が着座をするような場合には、椅子自体の移動を規制するための装置として所定のロック機構が設けられるようになっている。また、このようなロック機構の外に、装置自体が大型のものである場合においては、装置自体の脚の他に、移動手段用のキャスタ機構が別途設けられるようになっているものが挙げられる（特開平９−１５６３０５号公報（特許文献２））。
【先行技術文献】
【特許文献】
【０００３】
【特許文献１】特開２０１４−２３３３３４号公報
【特許文献２】特開平９−１５６３０５号公報
【発明の概要】
【発明が解決しようとする課題】
【０００４】
ところで、上記特許文献１に挙げられるキャスタのところにロック機構を設けるようにしたものにおいては、キャスタの回転止めをしたとしても、キャスタと接地面との間においては相対的に滑りが生じ、椅子自体を確実に固定することが難しいと言う問題点がある。一方、特許文献２に示すものの如く、移動用手段としてのキャスタ（ローラ）機構を、固定脚とは別個に設けるようにしたものにおいては、固定用脚先端部に設けられた固定装置（ロック機構）の操作が煩わしいと言う問題点がある。また、このものにおいては、固定用脚とキャスタを主体とした移動用機構との間が狭くなり、その間にゴミ等が溜まり易くなり、掃除が煩わしいと言う問題点がある。このような問題点を解決するために、移動用の脚（移動装置）を、通常は横長チェアまたはベンチの下面側に収納しておくとともに、緊急時におけるこれらベンチ等の移動時においては、急遽、上記移動装置であるキャスタ機構を下方へ突出させて、チェアまたはベンチの移動を円滑に行なわせることのできるようにした、収納式の移動用脚装置を提供しようとするのが本発明の目的（課題）である。
【課題を解決するための手段】
【０００５】
上記課題を解決するために、本発明においては次のような手段を講ずることとした。すなわち、請求項１記載の発明である第一の発明においては、チェアまたはベンチにおける、その移動を担う収納式の移動用脚装置に関して、枠状の形態からなるフレームと、当該フレームの一端側に形成される取付支点を基点にして所定の範囲内にて揺動運動が可能なように設けられるとともに、その先端部のところにはキャスタを有する可動脚と、上記フレームの両端部近くの上記可動脚取付点付近のところに設けられるものであって上記可動脚を開いた状態に保持するストッパと、上記フレームの一部に、その一端が取付けられるとともに、他の一端が上記可動脚の一部に取付けられて当該可動脚の作動を担うアクチュエータと、当該アクチュエータの一部に設けられるものであって当該アクチュエータの作動を制御する作動ケーブルと、当該作動ケーブルの作動を制御する操作スイッチと、上記フレームの下面側に設けられるものであって上記可動脚がフレーム下面側に折りたたまれたときに、当該可動脚をフレーム下面部のところに保持するように作動するロック機構と、からなるようにした構成を採ることとした。
【０００６】
次に、請求項２記載の発明である第二の発明においては、請求項１記載の収納式の移動用脚装置に関して、上記可動脚、上記アクチュエータ、当該アクチュエータの作動を制御する作動ケーブル、当該作動ケーブルの作動制御を行なう操作スイッチ、及び上記可動脚の保持を担うロック機構のそれぞれを、上記フレームの左右両端部付近のそれぞれのところに対の状態で設けるようにした構成を採ることとした。
【０００７】
次に、請求項３記載の発明である第三の発明においては、請求項１または請求項２のいずれかに記載の収納式の移動用脚装置に関して、上記可動脚の先端部付近のところに、後に述べるフック部と係合する係合部を設けるとともに、上記フレームの両端部から所定の長さだけ内側へ入ったところに設けられるロック機構を、上記係合部と係合するフック部を主に形成されるスナッチロック機構からなるようにした構成を採ることとした。
【発明の効果】
【０００８】
請求項１記載の発明である第一の発明のものにおいては、操作スイッチの操作に基づくアクチュエータの作動によって可動脚がロック機構のところから解放されて下方へと降りて来る。このようにして左右の可動脚がハ字状に開いた状態において、これら左右の可動脚はフレームの左右両端部のところに設けられたストッパにて固定される。この状態においては、上記左右の可動脚の先端部に設けられたキャスタが接地点となるので、このようなキャスタを先端部に有する可動脚にて支えられるチェアまたはベンチは、操作者の力（人力）で任意の位置へと移動させることができる。このように、本願発明のものにおいては、上記可動脚を簡単な操作にて下方へと張出させることによって移動用手段を形成させることができるようになり、大型のチェアまたはベンチを、緊急時等において迅速に所定の位置へと移動させることができるようになる。なお、このようにして、所定の位置へと運ばれて来たチェアまたはベンチにおいて、上記可動脚を収納するに当っては、まず、操作者が、一方の手等にて上記フレームの一端を持ち上げる。このような状態において、操作者のもう一方の手をもって、上記ハ字状に開いた状態の可動脚をフレームの下面側へと持ち上げる。そして、上記可動脚の下方部に設けられた凸起状の係合部をロック機構のところに当接させ、更に、押付けるように操作する。これによって、上記係合部のところがロック機構のところに係合して固定されることとなる。このようにして可動脚のフレーム下面部への収納が行なわれることとなる。
【０００９】
次に、請求項２記載の発明である第二の発明のものにおいては、上記可動脚並びに当該可動脚の保持を担うロック機構を、上記フレームの左右両端部付近のところに対の状態で一組設けるようにしたので、緊急時等においては、左右の可動脚をそれぞれ下方へと降下させることによって、左右の可動脚はフレームの下方部においてハ字状に開いた状態に展開されることとなる。その結果、このような状態の可動脚を有するチェアまたはベンチは、人の手（人力）によって比較的容易に所定の場所へと移動させることができるようになる。
【００１０】
また、請求項３記載の発明である第三の発明のものにおいては、可動脚をフレームの下面部のところに保持するロック機構がフック部を主に形成されるスナッチロック機構からなるとともに、このようなスナッチロック機構のロック解除が、当該スナッチロック機構と一体的に形成された作動ケーブル、更には当該作動ケーブルの一端側に設けられた操作スイッチの作動等によって行われるようになっていることより、この操作スイッチの操作によって上記フレームの下面側に固定されている可動脚を上記ロック機構（スナッチロック機構）のところから解放（ロック解除）させることができることとなる。このロック解除によって、各可動脚は当該可動脚のところに設けられたガスダンパからなるアクチュエータの作動により、下方へと展開されることとなる。そして、最終的にはハ字状に開いた状態となり、これらハ字状に開いた状態の各可動脚先端部に設けられたキャスタを介して重量物であるチェアまたはベンチは少ない人力によって容易に移動させられることとなる。
【図面の簡単な説明】
【００１１】
【図１】本発明の全体構成を示す立面図である。
【図２】本発明の主要部を成す可動脚の展開状態を示す図である。
【図３】本発明における可動脚の半開き状態を示す図である。
【図４】本発明における可動脚のフレーム下面部に収納された状態を示す図である。
【図５】本発明におけるロック機構の作動態様を示す説明図である。
【発明を実施するための形態】
【００１２】
本発明を実施するための形態について、図１ないし図５を基に説明する。本実施の形態に関するものは、例えば図１に示す如く、枠状の形態からなるフレーム５を基礎に形成されるものであって、当該フレーム５の一端側に形成される取付支点（Ｏ１）を基点にして所定の範囲内にて揺動運動が可能なように設けられるとともに、その先端部のところにはキャスタ１１を有する可動脚１と、上記フレーム５の両端部付近の上記可動脚取付点付近のところに設けられるものであって上記可動脚１を開いた状態に保持するストッパ５１と、上記フレーム５の一部に、その一端が取付けられるとともに、他の一端側が上記可動脚の一部に取付けられて当該可動脚の作動を担うアクチュエータ２と、当該アクチュエータ２の一部に取付けられるものであって、当該アクチュエータ２の作動を制御する作動ケーブル７（図２参照）と、当該作動ケーブル７の作動を制御する操作スイッチ７７と、上記フレーム５の下面側に設けられるものであって上記可動脚１がフレーム５の下面側に折りたたまれたときに、当該可動脚１をフレーム５の下面部のところに保持するように作動するロック機構３と、からなることを基本とするものである。
【００１３】
このような構成からなるアセンブリ機構、すなわち、可動脚１、アクチュエータ２、当該アクチュエータ２の作動を制御する作動ケーブル７、及び上記可動脚１の保持を担うロック機構３等からなるものが、上記フレーム５の下面側であって両端部付近のところに左右対称形を成すように設けられるようになっているものである。また、このような可動脚１を主体としたアセンブリ機構の取付けられた上記フレーム５の両端部のところには固定脚５２、５２が設けられ、これによってベンチまたはソファとしての骨格が形成されるとともに、このような骨格の上に座部６及び背当部６６等が設置されて、緊急時等には移動させることの可能な横長ベンチまたは横長ソファが形成されるようになっているものである。
【００１４】
また、このような構成からなるものにおいて、上記可動脚１の先端部付近のところには、後に述べるロック機構３のフック部３１と係合する係合部１３が設けられるとともに、上記フレーム５の両端部から所定の長さだけ内側へ入ったところにはロック機構３が設けられるようになっている。なお、このロック機構３はスナッチロック機構からなるものである。このスナッチロック機構３は、図５に示す如く、全体が鋏状の形態からなるものである。具体的には、一方の部材が、その一端側に形成された取付支点（Ｏ３）を基点にして揺動運動が可能なように設けられるレバー状の部材（レバー部材）３１と、一端側に上記係合部１３と係合するように形成されたフック部３３３を有するフック部材３３と、からなるものである。このような構成からなるものにおいて、上記レバー部材３１の一方の端部（Ｏ３１７）のところには作動ケーブル７が連結されるようになっているものである。また、フック部３３３を有するフック部材３３は、図５に示す如く、その中間部に形成された取付点（Ｏ３３）を支点にして天秤運動をするようになっているものである。この天秤運動によって本フック部材３３の先端部に形成された上記フック部３３３のところに上記係合部１３が係合して（図５（ロ）参照）、上記可動脚１のフレーム５下面側への固定が成されるようになっているものである。
【００１５】
このような構成からなるものにおいて、上記レバー部材３１の一方の端部であって作動ケーブル７の取付けられるところ（Ｏ３１７）と、上記天秤状の揺動運動が可能なように設けられたフック部材３３の上記フック部３３３を有する側とは反対の側のところ（Ｏ33７）との間には、この両者間を反発し合うように作動するスプリング３５が設けられ、このスプリング３５を介して上記各点（Ｏ３１７、Ｏ33７）間が連結されるようになっているものである。そして、このスプリング３５の作用により、上記フック部材３３に形成されたフック部３３３は上記レバー部材３１側へ常時押し付けられるようになっている。その結果、例えば図５の（ロ）に示す如く、上記可動脚１に形成された係合部１３のところが上記フック部３３３のところに係合した後は、上記係合部１３のところを常時抱え込むように保持することとなり、これによって可動脚１のフレーム５下面部への固定(ロック機能)が確実に保持されることとなる。
【００１６】
一方、このような可動脚１の固定（ロック）とは逆に、フレーム５下面側に保持された可動脚１を下方へと降下させて可動脚としての機能を発揮させるに当っては、まず、操作スイッチ７７を操作する（図１ないし図４参照）。これによって作動ケーブル７が作動し、スナッチロック機構３を形成するレバー部材３１がその取付点（Ｏ３）を基点にして揺動運動をする（図５（ロ）参照）。これに連動してスプリング５にて連結される上記フック部材３３が天秤運動の支点（Ｏ３３）を基点にして回転運動（天秤運動）をする。その結果、フック部３３３のところは、図５（イ）に示す如く、開いた状態となり、可動脚１側の係合部１３とロック機構３のフック部３３３との係合は解除されることとなる。すなわち、スナッチロック機構３のロック機能は解除されることとなる。このロック解除によって、可動脚１は当該可動脚１のところに設けられたガスダンパからなるアクチュエータ２の作動により、下方へと展開されることとなる。そして、上記可動脚１は最終的には、図１に示す如く、ハ字状に開いた状態となるとともに、このような状態においてフレーム５の両端部に形成されたストッパ５１のところに当接して、ここに固定されることとなる。このようにハ字状に開いた状態の各可動脚１、１の先端部に設けられたキャスタ１１、１１を介して重量物であるチェアまたはベンチは少ない人力によって容易に移動させることが可能となり、緊急時等において迅速に対応することができることとなる。
【００１７】
次に、このような構成からなる上記可動脚１について、当該可動脚１をフレーム５の下面側へ収納する場合の、その作動態様について、図２、図３、図４を基に説明する。まず、図２の状態において、操作者は、フレーム５の一方の端部５９周りのところを手でもって持ち上げる。このような状態において、操作者は、他方の手等をもって、上記可動脚１の下方部のところを、例えば図２に示す如く、Ｆの力をもって内側へ押し込むように操作する。このような操作を更に続けることによって、可動脚１は、例えば図３に示す如く、徐々に上方へと持ち上げられ、可動脚１に設けられた係合部１３のところがフレーム５の下面側に形成されたロック機構（スナッチロック機構）３のところへと近づく。
【００１８】
このような状態において、更に可動脚１の下方部を押し込むことによって、可動脚１の係合部１３のところがスナッチロック機構３のところに接触することとなる。このような状態において、更に可動脚１を押し上げるように操作することによって、当該可動脚１に形成された係合部１３のところが、例えば図５に示す如く、スナッチロック機構３を形成するフック部材３３のフック部３３３のところに係合するようになる。これによって、係合部１３とスナッチロック機構３との結合が完了することとなる。その結果、可動脚１は、図４に示す如く、フレーム５の下面部のところに完全に収納されることとなる。このようにして、可動脚１の収納が成され、チェア、ベンチとしては、座部７の下方部に余分な突出部等がなくなり、床面の清掃時等において、じゃま物のない、スッキリとした状態が形成されることとなる。
【符号の説明】
【００１９】
１  可動脚
１１  キャスタ
１３  係合部
２  アクチュエータ
３  ロック機構
３１  レバー部材
３３  フック部材
３３３  フック部
３５  スプリング
５  フレーム
５１  ストッパ
５２  固定脚
５９  端部
６  座部
６６  背当部
７  作動ケーブル
７７  操作スイッチ
【図１】
2017108930.tif 000003
【図２】
2017108930.tif 000004
【図３】
2017108930.tif 000005
【図４】
2017108930.tif 000006
【図５】
2017108930.tif 000007